(57)【要約】【課題】複数の無線基地局の間で、時刻情報を含む衛星からの信号に基づいて生成される同期信号を共通に利用する無線通信システムであって、当該時刻情報を含む衛星からの信号が受信できない場合であっても、通話や通信のサービスの劣化を最小限に抑えることのできる無線通信システムを提供する。【解決手段】端末装置による通話／通信を提供する無線通信システムにおいて、無線基地局２は、同期信号の精度が所定レベルを下回っている場合に、自局に隣接して配置されている他の無線基地局のうち、自局に接続されている同期信号生成部４とは異なる同期信号生成部４が存在する場合に、自局の送信電力を低減する。【選択図】図４
2011049770.tif 000002
【特許請求の範囲】
【請求項１】
端末装置による通話／通信を提供する無線通信システムであって、
各々が時刻情報を含む衛星からの信号に基づいて同期信号を生成する複数の同期信号生成部と、
各々が前記複数の同期信号生成部の１つと接続され、前記端末装置との間の送受信タイミングを前記同期信号に従って調整する複数の無線基地局と、
前記複数の無線基地局の配置位置に係る情報を管理する管理手段とを備え、
前記同期信号は、前記同期信号生成部における受信状態に応じた、当該同期信号の生成精度を示す情報を含み、
前記複数の無線基地局の各々は、
対応する同期信号生成部において生成される同期信号の精度が所定レベルを下回っているか否かを判断する手段と、
前記同期信号の精度が所定レベルを下回っている場合に、前記管理手段を参照することで、自局に隣接して配置されている他の無線基地局のうち、自局に接続されている同期信号生成部とは異なる同期信号生成部に接続されている無線基地局が存在するか否かを判断する手段と、
自局に接続されている同期信号生成部とは異なる同期信号生成部に接続されている無線基地局が存在する場合に、自局の送信電力を低減する手段とを含む、無線通信システム。
【請求項２】
前記複数の無線基地局の各々は、
対応する同期信号生成部において生成される同期信号の精度が、所定レベルを下回った後、所定レベルに回復したか否かを判断する手段と、
前記同期信号の精度が所定レベルに回復した場合に、低減していた自局の送信電力を元に戻す手段とをさらに含む、請求項１に記載の無線通信システム。
【請求項３】
前記複数の無線基地局の各々は、
自局に接続されている同期信号生成部とは異なる同期信号生成部に接続されている無線基地局が存在しない場合に、自局の送信電力を維持する手段をさらに含む、請求項１または２に記載の無線通信システム。
【請求項４】
前記管理手段は、
各無線基地局と、当該無線基地局に隣接する他の無線基地局とを対応付けて規定した第１の情報と、
各同期信号生成部と、当該同期信号生成部に接続されている無線基地局とを対応付けて規定した第２の情報とを含み、
前記複数の無線基地局の各々は、
前記管理手段の前記第１の情報を参照して、自局に隣接する他の無線基地局を特定し、
前記管理手段の前記第２の情報を参照して、取得した自局に隣接する他の無線基地局が接続されている同期信号生成部を特定する、請求項１〜３のいずれか１項に記載の無線通信システム。
【請求項５】
前記複数の無線基地局の各々は、自局に接続されている同期信号生成部とは異なる同期信号生成部に接続されている、隣接の無線基地局の送信電力の到達可能範囲とは重複しないように、自局の送信電力を低減する、請求項１〜４のいずれか１項に記載の無線通信システム。
【請求項６】
端末装置による通話／通信を提供するための無線通信システムを構成する無線基地局であって、
複数の同期信号生成部の１つと接続され、接続先の同期信号生成部からの同期信号に従って、前記端末装置との間の送受信タイミングを調整する手段を備え、前記複数の同期信号生成部の各々は、時刻情報を含む衛星からの信号に基づいて同期信号を生成し、前記同期信号は、対応する同期信号生成部における受信状態に応じた、当該同期信号の生成精度を示す情報を含み、
対応する同期信号生成部において生成される同期信号の精度が所定レベルを下回っているか否かを判断する手段と、
前記同期信号の精度が所定レベルを下回っている場合に、前記無線通信システムに含まれる無線基地局の配置位置に係る情報を管理する管理手段を参照することで、自局に隣接して配置されている他の無線基地局のうち、自局に接続されている同期信号生成部とは異なる同期信号生成部に接続されている無線基地局が存在するか否かを判断する手段と、
自局に接続されている同期信号生成部とは異なる同期信号生成部に接続されている無線基地局が存在する場合に、自局の送信電力を低減する手段とを含む、無線基地局。
【請求項７】
端末装置による通話／通信を提供する無線通信システムにおける制御方法であって、
複数の同期信号生成部の各々が、時刻情報を含む衛星からの信号に基づいて同期信号を生成するステップと、
複数の無線基地局の各々が、接続された前記複数の同期信号生成部の１つからの同期信号に従って、前記端末装置との間の送受信タイミングを前記同期信号に従って調整するステップと、
複数の無線基地局の各々が、受信した同期信号に含まれる、当該同期信号の生成精度を示す情報に基づいて、対応する同期信号生成部において生成される同期信号の精度が所定レベルを下回っているか否かを判断するステップと、
複数の無線基地局の各々が、前記同期信号の精度が所定レベルを下回っている場合に、前記無線通信システムに含まれる無線基地局の配置位置に係る情報を管理する管理装置を参照することで、自局に隣接して配置されている他の無線基地局のうち、自局に接続されている同期信号生成部とは異なる同期信号生成部に接続されている無線基地局が存在するか否かを判断するステップと、
複数の無線基地局の各々が、自局に接続されている同期信号生成部とは異なる同期信号生成部に接続されている無線基地局が存在する場合に、自局の送信電力を低減するステップとを含む、制御方法。
【発明の詳細な説明】
【技術分野】
【０００１】
本発明は、複数の無線基地局の間で同期信号を共通に利用する無線通信システム、その無線通信システムを構成する無線基地局、およびその無線通信システムにおける制御方法に関する。
【背景技術】
【０００２】
従来から、無線通信の分野では、より無線信号の利用効率を向上させつつ、通信速度を高める取組みがなされている。たとえば、セル方式の無線通信システムにおける、このような取組みの一つとして、隣接するセル間での送受信タイミングの同期化が知られている。より具体的には、あるセルにおける無線基地局とそのセルに含まれる端末装置との間の送受信タイミングを、隣接するセルにおける無線基地局とその隣接するセルに含まれる端末装置との間の送受信タイミングと一致させることで、隣接するセルの無線基地局と端末装置との間の干渉、および、端末装置間の干渉を抑制することができる。
【０００３】
このようなセル間での送受信タイミングの同期化を実現する一形態として、時刻情報を含む衛星からの信号を利用する構成が考えられる。現時点において、このような時刻情報を含む衛星からの信号の典型例としては、ＧＰＳ（Global Positioning System）衛星からのＧＰＳ信号が知られている。すなわち、ＧＰＳ衛星からのＧＰＳ信号を受信するためのＧＰＳ受信機を各無線基地局に設けて、各無線基地局が共通のＧＰＳ信号に基づいて、送受信タイミングを同期化するものである。
【０００４】
しかしながら、精度の高い同期信号を生成するＧＰＳモジュールは、比較的高価であるため、コストをより低減するために、複数の無線基地局が１つのＧＰＳ受信機を共用する形態が考えられている。たとえば、特開２０００−２３２６８８号公報（特許文献１）には、各基地ユニットが、ＧＰＳ受信機に結合されたパケット・データ通信システムが開示されている。このパケット・データ通信システムにおいては、ＧＰＳ受信機がＧＰＳ衛星からＧＰＳ信号を受信し、このＧＰＳ信号が共通の時間的基準として機能する。
【先行技術文献】
【特許文献】
【０００５】
【特許文献１】特開２０００−２３２６８８号公報
【発明の概要】
【発明が解決しようとする課題】
【０００６】
ところで、ＧＰＳ受信機がＧＰＳ衛星からのＧＰＳ信号を常に受信できるとは限らない。すなわち、ＧＰＳ衛星の運用休止、地球に時点によるＧＰＳ衛星からのＧＰＳ信号が届かない地域の発生、および、ＧＰＳ受信機の故障などの理由から、ＧＰＳ信号を共通の時間的基準として使用することができない場合がある。
【０００７】
特開２０００−２３２６８８号公報（特許文献１）に開示される、模式的なパケット・データ通信システムであれば、ＧＰＳ信号を共通の時間的基準として使用できなくとも、何らかの基準信号を採用すればよいとも考えられる。しかしながら、実際の無線通信システムでは、すべての無線基地局が単一のＧＰＳ受信機を利用するのではなく、複数のＧＰＳ受信機が用意されている。そのため、あるＧＰＳ受信機に接続される無線基地局と、当該ＧＰＳ受信機とは異なるＧＰＳ受信機に接続された無線基地局とが隣接する部分が生じ得る。
【０００８】
そのため、何らかの理由で一方のＧＰＳ受信機がＧＰＳ信号を受信できない場合には、これらの無線基地局の周辺では、送受信タイミングのずれによって、干渉量が増大し得る。その結果、これらの無線基地局が提供するセル内では、通話や通信ができなくなるおそれがある。
【０００９】
本発明は、上記のような問題を解決するためになされたものであって、その目的は、複数の無線基地局の間で、時刻情報を含む衛星からの信号に基づいて生成される同期信号を共通に利用する無線通信システムであって、当該時刻情報を含む衛星からの信号が受信できない場合であっても、通話や通信のサービスの劣化を最小限に抑えることのできる無線通信システムを提供することである。また、さらなる目的は、上述のような無線通信システムを構成する無線基地局、およびその無線通信システムにおける制御方法を提供することである。
【課題を解決するための手段】
【００１０】
この発明のある局面に従えば、端末装置による通話／通信を提供する無線通信システムを提供する。本無線通信システムは、各々が時刻情報を含む衛星からの信号に基づいて同期信号を生成する複数の同期信号生成部と、各々が複数の同期信号生成部の１つと接続され、端末装置との間の送受信タイミングを同期信号に従って調整する複数の無線基地局と、複数の無線基地局の配置位置に係る情報を管理する管理手段とを含む。同期信号は、同期信号生成部における受信状態に応じた、当該同期信号の生成精度を示す情報を含む。複数の無線基地局の各々は、対応する同期信号生成部において生成される同期信号の精度が所定レベルを下回っているか否かを判断する手段と、同期信号の精度が所定レベルを下回っている場合に、管理手段を参照することで、自局に隣接して配置されている他の無線基地局のうち、自局に接続されている同期信号生成部とは異なる同期信号生成部に接続されている無線基地局が存在するか否かを判断する手段と、自局に接続されている同期信号生成部とは異なる同期信号生成部に接続されている無線基地局が存在する場合に、自局の送信電力を低減する手段とを含む。
【００１１】
好ましくは、複数の無線基地局の各々は、対応する同期信号生成部において生成される同期信号の精度が、所定レベルを下回った後、所定レベルに回復したか否かを判断する手段と、同期信号の精度が所定レベルに回復した場合に、低減していた自局の送信電力を元に戻す手段とをさらに含む。
【００１２】
好ましくは、複数の無線基地局の各々は、自局に接続されている同期信号生成部とは異なる同期信号生成部に接続されている無線基地局が存在しない場合に、自局の送信電力を維持する手段をさらに含む。
【００１３】
好ましくは、管理手段は、各無線基地局と、当該無線基地局に隣接する他の無線基地局とを対応付けて規定した第１の情報と、各同期信号生成部と、当該同期信号生成部に接続されている無線基地局とを対応付けて規定した第２の情報とを含む。複数の無線基地局の各々は、管理手段の第１の情報を参照して、自局に隣接する他の無線基地局を特定し、管理手段の第２の情報を参照して、取得した自局に隣接する他の無線基地局が接続されている同期信号生成部を特定する。
【００１４】
好ましくは、複数の無線基地局の各々は、自局に接続されている同期信号生成部とは異なる同期信号生成部に接続されている、隣接の無線基地局の送信電力の到達可能範囲とは重複しないように、自局の送信電力を低減する。
【００１５】
この発明の別の局面に従えば、端末装置による通話／通信を提供するための無線通信システムを構成する無線基地局を提供する。本無線基地局は、複数の同期信号生成部の１つと接続され、接続先の同期信号生成部からの同期信号に従って、端末装置との間の送受信タイミングを調整する手段を含む。ここで、複数の同期信号生成部の各々は、時刻情報を含む衛星からの信号に基づいて同期信号を生成し、同期信号は、対応する同期信号生成部における受信状態に応じた、当該同期信号の生成精度を示す情報を含む。本無線基地局は、さらに、対応する同期信号生成部において生成される同期信号の精度が所定レベルを下回っているか否かを判断する手段と、同期信号の精度が所定レベルを下回っている場合に、無線通信システムに含まれる無線基地局の配置位置に係る情報を管理する管理手段を参照することで、自局に隣接して配置されている他の無線基地局のうち、自局に接続されている同期信号生成部とは異なる同期信号生成部に接続されている無線基地局が存在するか否かを判断する手段と、自局に接続されている同期信号生成部とは異なる同期信号生成部に接続されている無線基地局が存在する場合に、自局の送信電力を低減する手段とを含む。
【００１６】
この発明のさらに別の局面に従えば、端末装置による通話／通信を提供する無線通信システムにおける制御方法を提供する。本制御方法は、複数の同期信号生成部の各々が、時刻情報を含む衛星からの信号に基づいて同期信号を生成するステップと、複数の無線基地局の各々が、接続された複数の同期信号生成部の１つからの同期信号に従って、端末装置との間の送受信タイミングを同期信号に従って調整するステップと、複数の無線基地局の各々が、受信した同期信号に含まれる、当該同期信号の生成精度を示す情報に基づいて、対応する同期信号生成部において生成される同期信号の精度が所定レベルを下回っているか否かを判断するステップと、複数の無線基地局の各々が、同期信号の精度が所定レベルを下回っている場合に、無線通信システムに含まれる無線基地局の配置位置に係る情報を管理する管理装置を参照することで、自局に隣接して配置されている他の無線基地局のうち、自局に接続されている同期信号生成部とは異なる同期信号生成部に接続されている無線基地局が存在するか否かを判断するステップと、複数の無線基地局の各々が、自局に接続されている同期信号生成部とは異なる同期信号生成部に接続されている無線基地局が存在する場合に、自局の送信電力を低減するステップとを含む。
【発明の効果】
【００１７】
本発明によれば、複数の無線基地局の間で、時刻情報を含む衛星からの信号に基づいて生成される同期信号を共通に利用する無線通信システムであって、当該時刻情報を含む衛星からの信号が受信できない場合であっても、通話や通信のサービスの劣化を最小限に抑えることができる。
【図面の簡単な説明】
【００１８】
【図１】本発明の実施の形態に従う無線通信システムの概略構成図である。
【図２】送受信タイミングのずれによる干渉の発生を説明するための図である。
【図３】本発明の実施の形態に従う無線通信システムのセル配置の一例を示す図である。
【図４】図３に示す無線通信システムにおいて同期信号の精度が所定レベルを下回った場合のセル配置の一例を示す図である。
【図５】本発明の実施の形態に従う無線基地局のハードウェア構成の一例を示す図である。
【図６】図５に示す制御部の処理構造の一例を示す図である。
【図７】本発明の実施の形態に従うサーバ装置のハードウェア構成の一例を示す図である。
【図８】図７に示すドメインリストの内容の一例を示す図である。
【図９】図７に示すネイバーリストの内容の一例を示す図である。
【図１０】本発明の実施の形態に従う無線基地局における動作を示すフローチャートである。
【発明を実施するための形態】
【００１９】
本発明の実施の形態について、図面を参照しながら詳細に説明する。なお、図中の同一または相当部分については、同一符号を付してその説明は繰返さない。
【００２０】
＜システム構成＞
図１は、本発明の実施の形態に従う無線通信システム１の概略構成図である。本実施の形態に従う無線通信システム１は、典型的には、ＴＤＭＡ（Time Division Multiple Access）方式やＣＤＭＡ（Code Division Multiple Access）方式などの携帯電話システム、ＰＨＳ（Personal Handy-phone System）システム、ＯＦＤＭＡ（Orthogonal Frequency Division Multiple Access）方式などの高速データ通信システムなどに向けられる。すなわち、無線通信システム１は、端末装置による通話および／または通信を提供する。
【００２１】
図１を参照して、無線通信システム１は、複数のドメイン１００Ａ，１００Ｂを含む（以下、「ドメイン１００」とも総称する。）。ドメイン１００は、共通の同期信号に従って、送受信タイミングを制御する無線基地局の集合である。より具体的には、ドメイン１００の各々は、複数の無線基地局２と、同期信号生成部４と、サーバ装置６とを含む。なお、図１に示す無線基地局の各々については、属するドメインと当該ドメイン内での識別情報とを組合せた、“２Ａ＿１”，“２Ａ＿２”，・・・といった参照符号を付している。
【００２２】
図１には図示していないが、それぞれの無線基地局２は交換機に接続されており、受信した端末装置からの音声／データを交換機へ転送し、あるいは、交換機から受信した音声／データを指定された端末装置へ転送する。
【００２３】
このとき、無線基地局２は、複数の同期信号生成部４のうち１つと接続され、当該接続先の同期信号生成部４からの同期信号に従って、端末装置との間の無線信号の送信および受信タイミングを制御する。これにより、少なくとも、同一のドメイン１００に属する無線基地局２が提供するセル内では、無線信号の送信および受信タイミングのずれによる干渉（混信）を低減できる。なお、「セル」とは、実質的には、対応する無線基地局２からの送信電力の到達可能範囲に相当する。
【００２４】
同期信号生成部４は、時刻情報を含む衛星からの信号に基づいて同期信号を生成する。典型的には、同期信号生成部４は、時刻情報を含む衛星からの信号としてＧＰＳ信号を利用する。より具体的には、同期信号生成部４は、ＧＰＳモジュールを含み、アンテナ４ａを介して受信したＧＰＳ衛星１２からのＧＰＳ信号を受信する。そして、同期信号生成部４は、受信したＧＰＳ信号の内容（時刻情報）に基づいて、タイミング信号である同期信号を生成する。各ドメイン１００において、それぞれの無線基地局２は、信号ライン８を介して、同期信号生成部４と通信可能に接続されている。同期信号生成部４は、この信号ライン８を介して、それぞれの無線基地局２へ同期信号を提供する。信号ライン８は、それぞれの無線基地局２における同期信号の伝搬に有意な遅延時間を生じなければ、どのような形式のものを採用してもよい。たとえば、ドメイン１００がビル内などの比較的狭い通信エリア（いわゆる、マイクロセルやピコセル）を提供するものであれば、メタルケーブルを採用してもよい。あるいは、ドメイン１００が比較的広い通信エリアを提供するものであれば、光ケーブルなどを採用してもよい。なお、同期信号の様式や同期の手順としては、ＩＥＥＥ（The Institute of Electrical and Electronics Engineers, Inc.）１５８８に規定された同期のための標準プロトコルを採用してもよい。
【００２５】
なお、この同期信号には、後述するように、同期信号生成部４における受信状態に応じた、同期信号の生成精度を示す情報が付加される。なお、同期信号の生成精度とは、典型的には、本来の同期タイミングからのずれ量、すなわちタイミング差の度合いを意味する。
【００２６】
さらに、それぞれの無線基地局２は、データライン１０を介して、サーバ装置６へアクセス可能に接続されている。サーバ装置６は、複数の無線基地局２の配置位置に係る情報を管理する管理手段に相当する。より具体的には、サーバ装置６は、後述するように、ドメインリスト（各無線基地局が属するドメイン情報）およびネイバーリスト（隣接局情報）を保持している。無線基地局２は、同期信号生成部４において生成される同期信号の精度が所定レベルを下回ると、サーバ装置６から必要な情報を取得して、後述するような他の無線基地局との干渉を抑制するための制御を行なう。データライン１０は、どのような形式のものを採用してもよいが、典型的には、イーサネット（登録商標）などのデータ通信方式を採用することができる。
【００２７】
なお、図１には、ドメイン毎にサーバ装置６を配置した構成を例示するが、複数のドメイン間で共通のサーバ装置６を利用するような形態を採用してもよい。あるいは、ドメイン毎にサーバ装置６を配置する場合には、ドメイン毎に、同期信号生成部４とサーバ装置６とを統合して、１つの主体として設けてもよい。
【００２８】
＜干渉およびその抑制方法＞
次に、図２〜図４を参照して、同期信号生成部４（図１）がＧＰＳ信号を正常に受信できない場合に生じる干渉およびその抑制方法について説明する。
【００２９】
図２は、送受信タイミングのずれによる干渉の発生を説明するための図である。図３は、本発明の実施の形態に従う無線通信システムのセル配置の一例を示す図である。図４は、図３に示す無線通信システムにおいて同期信号の精度が所定レベルを下回った場合のセル配置の一例を示す図である。
【００３０】
まず、図２（ａ）を参照して、２つのドメインの境界付近にあるセルについて考える。すなわち、ある同期信号生成部４からの同期信号に従って動作する無線基地局２が提供するセル範囲（「ドメインＡ」と表す）と、別の同期信号生成部４からの同期信号に従って動作する無線基地局２が提供するセル範囲（「ドメインＢ」と表す）とが隣接しているとする。
【００３１】
ドメインＡに属する同期信号生成部４とドメインＢに属する同期信号生成部４とが同一のＧＰＳ信号を受信している場合には、ドメインＡおよびＢの間で実質的に同一の同期信号が生成されるので、ドメインＡおよびＢに属するすべての無線基地局２の間で送受信タイミングが同期化される。そのため、たとえば、ドメインＡのセル内に位置する端末装置３０＿１と、ドメインＢのセル内に位置する端末装置３０＿２とは、同じタイミング（図２（ａ）に示す時刻Ｔ１）で無線信号を送信または受信することになる。そのため、端末装置３０＿１と端末装置３０＿２との間の干渉（混信）を低減できる。
【００３２】
これに対して、たとえば、ドメインＡに属する同期信号生成部４がＧＰＳ信号を受信できなくなると、ドメインＡで利用される同期信号とドメインＢで利用される同期信号との間にずれが生じ得る。そのため、ドメインＡのセル内に位置する端末装置３０＿１と、ドメインＢのセル内に位置する端末装置３０＿２とが異なるタイミングで無線信号を送信または受信することになる。この結果、端末装置３０＿１と端末装置３０＿２との間で干渉（混信）が生じ得る。より具体的には、たとえば、端末装置３０＿１の受信期間に端末装置３０＿２が送信した無線信号を受信してしまい、この端末装置３０＿２からの無線信号が妨害電波となる。
【００３３】
そこで、本実施の形態に従う無線通信システムにおいては、このように送受信タイミングの同期がとれない場合には、各無線基地局が干渉の発生を抑制するようにセル範囲を調整する。
【００３４】
たとえば、図３に示す無線通信システムを一例として説明する。図３に示す無線通信システムでは、ドメインＡに１４個の無線基地局２Ａ＿１〜２Ａ＿１４が属しており、ドメインＢに１個の無線基地局２Ｂが属しているとする。ここで、ドメインＡの同期信号生成部４がＧＰＳ信号を正常に受信できなくなったとする。
【００３５】
このとき、共通のドメインＡに属する無線基地局のみに隣接する無線基地局については、ドメインＢの送受信タイミングの影響を受けない。たとえば、無線基地局２Ａ＿２についてみれば、４つの無線基地局２Ａ＿１，２Ａ＿３，２Ａ＿４，２Ａ＿５と隣接しており、これらの隣接する無線基地局はいずれもドメインＡに属する。そのため、たとえ、ドメインＡで利用される同期信号がドメインＢで利用される同期信号に対してずれたとしても、これらの無線基地局２Ａ＿１〜２Ａ＿５の間で干渉を生じることはない。
【００３６】
これに対して、無線基地局２Ａ＿１についてみれば、ドメインＡに属する２つの無線基地局２Ａ＿２および２Ａ＿４に加えて、ドメインＢに属する無線基地局２Ｂと隣接している。そのため、ドメインＡで利用される同期信号がドメインＢで利用される同期信号に対してずれた場合には、無線基地局２Ａ＿１と無線基地局２Ｂとの間で干渉を生じ得る。
【００３７】
本実施の形態に従う無線通信システムにおいては、このような状況になると、各無線基地局２が自局の送信電力を低減もしくはカットすることで、セル範囲をより狭くする。すなわち、図４に示すように、ドメインＡに属する無線基地局２のうち、ドメインＢに属する無線基地局２Ｂと隣接する、無線基地局２Ａ＿１，２Ａ＿４，２Ａ＿７は、自局のセル範囲を無線基地局Ｂのセル範囲と重複しない範囲まで狭める。
【００３８】
言い換えれば、無線基地局２Ａ＿１は、自局に接続されている同期信号生成部４とは異なる同期信号生成部４に接続されている、隣接する無線基地局２Ｂの送信電力の到達可能範囲（ハッチング部分）とは重複しないように、自局の送信電力を低減する。
【００３９】
これにより、異なるドメイン間に位置する端末装置への干渉を低減させることができる。このような処理によって、ＧＰＳ信号を正常に受信できない場合であっても、すなわち、同期信号生成部４によって生成される同期信号の精度が保証されない場合であっても、通話や通信のサービスが停止されるエリアを可能な限り小さくできる。
【００４０】
＜無線基地局の構成＞
次に、図５および図６を参照して、本実施の形態に従う無線基地局２の構成について説明する。
【００４１】
図５は、本発明の実施の形態に従う無線基地局２のハードウェア構成の一例を示す図である。図６は、図５に示す制御部２０の処理構造の一例を示す図である。
【００４２】
図５を参照して、本実施の形態に従う無線基地局２は、制御部２０と、符号／復号回路２４と、アップコンバータ２５と、送信アンテナ２６と、ダウンコンバータ２７と、受信アンテナ２８と、同期信号インターフェイス（以下、「同期信号Ｉ／Ｆ」と称する。）２９と、データ通信インターフェイス（以下、「データ通信Ｉ／Ｆ」と称する。）３０と、交換機インターフェイス（以下、「交換機Ｉ／Ｆ」と称する。）３１とを含む。
【００４３】
無線基地局２は、同期信号生成部４（図１）から受信した同期信号に従って、端末装置との間の送信および受信タイミングを制御する。また、無線基地局２は、図示しない交換機との間で、音声／データを遣り取りしたり、セル内の端末装置についての位置情報の登録処理などを行なったりする。
【００４４】
制御部２０は、上述したような無線基地局２における主な処理を実行する処理主体であり、ＣＰＵ（Central Processing Unit）２１と、ＲＡＭ（Random Access Memory）２２と、ＰＲＯＭ（Programmable Read Only Memory）２３とを含む。演算装置であるＣＰＵ２１は、ＰＲＯＭ２３などに予め格納されたプログラムコードをＲＡＭ２２に展開した上で、当該プログラムコードに従って各種の処理を実行する。ＲＡＭ２２は、ＣＰＵ２１で実行されるプログラムコードに加えて、プログラムコードの実行に必要な各種ワークデータを記憶する。ＰＲＯＭ２３には、予めＣＰＵ２１で実行されるプログラムコードや各種定数が記憶されている。
【００４５】
制御部２０は、符号／復号回路２４に接続されており、符号／復号回路２４に対して送受信タイミングや送信電力を指示する。
【００４６】
符号／復号回路２４は、いわゆるＯＳＩ（Open Systems Interconnection）モデルにおける物理層の機能を担当する。より具体的には、符号／復号回路２４は、制御部２０から送信すべきデータ列を受信すると、所定の符号化処理および変調処理を実行し、その生成信号をアップコンバータ２５へ出力する。アップコンバータ２５は、符号／復号回路２４から受信した信号を端末装置へ送信する無線信号に周波数変換（アップコンバート）し、接続されている送信アンテナ２６へ与える。
【００４７】
一方、端末装置から受信した無線信号は、受信アンテナ２８を介してダウンコンバータ２７へ入力される。ダウンコンバータ２７は、受信した無線信号を周波数変換（ダウンコンバート）し、その生成信号を符号／復号回路２４へ与える。符号／復号回路２４は、ダウンコンバータ２７からの信号に対して復号化処理を実行し、その復号データを制御部２０へ出力する。
【００４８】
符号／復号回路２４は、制御部２０から指示された送受信タイミングに従って、無線信号の送信（アップコンバータ２５への信号出力）および無線信号の受信（ダウンコンバータ２７からの信号取込）を調整する。さらに、符号／復号回路２４は、制御部２０から指示された送信電力に従って、送信アンテナ２６から伝搬する無線信号の電力（アップコンバータ２５へ与える信号の強度）を調整する。
【００４９】
同期信号Ｉ／Ｆ２９は、制御部２０と接続され、同期信号生成部４から送信される同期信号を受信し、その受信した内容を制御部２０へ与える。データ通信Ｉ／Ｆ３０は、制御部２０と接続され、サーバ装置６（図１）へのアクセスを仲介する。交換機Ｉ／Ｆ３１は、制御部２０と接続され、図示しない交換機との音声／データなどの遣り取りを仲介する。
【００５０】
なお、無線基地局２の実装形態としては、図５に示すハードウェアに限定されることはない。むしろ、無線基地局２の規模（セル範囲や同時接続最大数など）に応じて、適切なハードウェア構成が選択される。
【００５１】
図６を参照して、制御部２０は、その処理構造として、同期信号モジュール２０２と、データ通信モジュール２０４と、制御モジュール２０６と、ネットワークモジュール２０８と、データリンクモジュール２１０とを含む。
【００５２】
同期信号モジュール２０２は、同期信号Ｉ／Ｆ２９を介して受信される同期信号生成部４からの同期信号に基づいて、制御モジュール２０６に内部指令を与える。
【００５３】
データ通信モジュール２０４は、制御モジュール２０６からの内部指令に応答して、データ通信Ｉ／Ｆ３０（図５）を介して、サーバ装置６（図１）に対して必要なデータを要求するとともに、サーバ装置６から送信される応答データを受信して、その結果を制御モジュール２０６へ与える。
【００５４】
制御モジュール２０６は、同期信号モジュール２０２からの内部指令に基づいて、送受信タイミングを符号／復号回路２４（図５）へ与える。すなわち、同期信号モジュール２０２および制御モジュール２０６は、端末装置との間の送受信タイミングを同期信号に従って調整する。
【００５５】
また、制御モジュール２０６は、接続先の同期信号生成部４において生成される同期信号の精度が所定レベルを維持しているか否かを判断している。すなわち、制御モジュール２０６は、対応する同期信号生成部４において生成される同期信号の精度が所定レベルを下回っているか否かを判断するための機能を提供する。
【００５６】
また、制御モジュール２０６は、同期信号の精度が所定レベルを下回っていると判断すると、データ通信モジュール２０４に対して内部指令を与えて、サーバ装置６（図１）から自局に隣接する他の無線基地局の情報を取得する。そして、制御モジュール２０６は、隣接する他の無線基地局２が他のドメインに属しているか否かを判断する。すなわち、制御モジュール２０６は、同期信号の精度が所定レベルを下回っている場合に、管理手段であるサーバ装置６を参照することで、自局に隣接して配置されている他の無線基地局２のうち、自局に接続されている同期信号生成部４とは異なる同期信号生成部４に接続されている無線基地局２が存在するか否かを判断するための機能を提供する。
【００５７】
さらに、隣接する他の無線基地局が他のドメインに属している場合には、制御モジュール２０６は、自局のセル範囲を狭くするように、送信電力の低減もしくはカット（送信強度の変更）を通知する。すなわち、制御モジュール２０６は、自局に接続されている同期信号生成部４とは異なる同期信号生成部４に接続されている無線基地局２が隣接して存在する場合に、自局の送信電力を低減するための機能を提供する。
【００５８】
ネットワークモジュール２０８は、いわゆるＯＳＩモデルにおけるネットワーク層の機能を担当する。すなわち、ネットワークモジュール２０８は、交換機と端末装置との間で遣り取りされる音声／データのルーティングなどを行なう。
【００５９】
データリンクモジュール２１０は、いわゆるＯＳＩモデルにおけるデータリンク層の機能を担当する。すなわち、データリンクモジュール２１０は、無線基地局２（図１）と端末装置との間の信号の受け渡しを制御する。
【００６０】
＜同期信号生成部＞
本実施の形態に従う同期信号生成部４は、ＧＰＳ衛星１２から受信したＧＰＳ信号に基づいて同期信号を生成するとともに、ＧＰＳ信号の受信が途切れた場合であっても、所定期間の間は、ＧＰＳ信号に基づく同期信号と同程度の精度をもつ同期信号の生成が可能であるとする。このような機能は、ホールドオーバ機能と称される。たとえば、同期信号生成部４は、２４時間程度の間であれば、ＧＰＳ信号を受信できなくとも、同期信号を継続して生成できる。
【００６１】
なお、このようなホールドオーバ機能を有するＧＰＳモジュールは、比較的高価であるが、本実施の形態に従う無線通信システムのように、複数の無線基地局２で１つの同期信号生成部４を共有（シェア）する形態であれば、システム全体のコストを抑制しつつ、このようなホールドオーバ機能を有する精度および信頼性の高いＧＰＳモジュールを採用することができる。
【００６２】
しかしながら、このホールドオーバ機能を有していたとしても、所定期間を超えてＧＰＳ信号を受信できなければ、同期信号生成部４は、他のドメインの同期信号生成部４と同じタイミングを有する同期信号を生成することができなくなる。
【００６３】
本実施の形態に従う同期信号生成部４は、自身が生成したタイミングを示す情報に加えて、同期信号生成部４における受信状態に応じた、当該同期信号の生成精度を示す情報（ＧＰＳ正常受信中、ホールドオーバ内、ホールドオーバ外）を同期信号に含めて出力する。この同期信号を受信した各無線基地局２は、接続先の同期信号生成部４において生成される同期信号の精度を知ることができる。
【００６４】
なお、ＧＰＳ信号を正常に受信できている場合であっても、何らかの原因で同期信号の生成精度が低下するおそれもある。そのため、同期信号生成部４において生成される同期信号におけるジッタ量のばらつき（分散）などに基づいて、同期信号の生成精度を評価してもよい。この場合には、同期信号の生成精度を示す情報として、同期信号の精度が所定レベルを下回っていることを示す情報、および／または、同期信号の精度の値を付加してもよい。
【００６５】
＜サーバ装置の構成＞
次に、図７〜図９を参照して、本実施の形態に従うサーバ装置６の構成について説明する。
【００６６】
図７は、本発明の実施の形態に従うサーバ装置６のハードウェア構成の一例を示す図である。図８は、図７に示すドメインリストの内容の一例を示す図である。図９は、図７に示すネイバーリストの内容の一例を示す図である。
【００６７】
図７を参照して、本実施の形態に従うサーバ装置６は、ＣＰＵ６０と、ＲＡＭ６２と、データ通信インターフェイス（以下、「データ通信Ｉ／Ｆ」と称す。）６４と、データ格納部６６とを含む。これらの各部は、内部バス６８を介して、互いにデータ通信可能に構成されている。
【００６８】
演算装置であるＣＰＵ６０は、予め格納されたプログラムコードをＲＡＭ６２に展開した上で、当該プログラムコードに従って各種の処理を実行する。ＲＡＭ６２は、ＣＰＵ６０で実行されるプログラムコードに加えて、プログラムコードの実行に必要な各種ワークデータを記憶する。
【００６９】
データ通信Ｉ／Ｆ６４は、それぞれの無線基地局２からのアクセスを仲介する。
データ格納部６６は、典型的にはハードディスク装置などであり、ドメインリスト６６２およびネイバーリスト６６４を格納する。ＣＰＵ６０は、データ通信Ｉ／Ｆ６４を介して、いずれかの無線基地局２からのデータアクセスを受けると、データ格納部６６内のドメインリスト６６２およびネイバーリスト６６４を参照して、必要なデータを応答する。
【００７０】
ドメインリスト６６２は、各同期信号生成部４と、当該同期信号生成部４に接続されている無線基地局２とを対応付けて規定した情報である。すなわち、ドメインリスト６６２は、各ドメインに属する無線基地局２を特定するための情報を含んでいる。図８に示すように、典型的には、ドメインリスト６６２は、「ドメイン」と、当該ドメインに対応付けられた「基地局ＩＤ」とからなるテーブルである。この「ドメイン」の欄には、「ドメインＡ」や「ドメインＢ」といった、各ドメインを特定するための識別情報が記述される。また、「基地局ＩＤ」の欄には、「ＢＳ−Ａ１」や「ＢＳ−Ａ２」といった対応するドメインに属する無線基地局を特定するための識別情報が記述される。
【００７１】
ネイバーリスト６６４は、各無線基地局２と、当該無線基地局２に隣接する他の無線基地局２とを対応付けて規定した情報である。すなわち、ネイバーリスト６６４は、各無線基地局２について、当該無線基地局２に隣接する他の無線基地局２を特定するための情報を含んでいる。図９に示すように、典型的には、ネイバーリスト６６４は、対象の無線基地局２を示す識別情報である「基地局ＩＤ」と、当該無線基地局２に隣接して配置された無線基地局２を示す識別情報である「隣接基地局ＩＤ」とからなるテーブルである。この「基地局ＩＤ」の欄には、「ＢＳ−Ａ４」といった無線基地局２を示す識別情報が記述される。また、「隣接基地局ＩＤ」の欄には、「ＢＳ−Ａ１」や「ＢＳ−Ａ２」といった対応する無線基地局２に隣接して配置された無線基地局を特定するための識別情報が記述される。なお、図８に示すネイバーリスト６６４の内容は、上述の図３および図４に対応付けている。
【００７２】
なお、ドメインリスト６６２およびネイバーリスト６６４は、無線通信システムにおいて無線基地局２に対する追加／変更／削除などが生じると、その都度更新されるものとする。
【００７３】
＜処理手順＞
次に、図１０を参照して、本実施の形態に従う無線通信システムの無線基地局２における動作について説明する。
【００７４】
図１０は、本発明の実施の形態に従う無線基地局２における動作を示すフローチャートである。
【００７５】
図１０を参照して、無線基地局２の制御部２０（図５）は、同期信号生成部４（図１）から同期信号を受信したか否かを判断する（ステップＳ１００）。同期信号を受信していなければ（ステップＳ１００においてＮＯ）、ステップＳ１００の処理が繰返される。
【００７６】
一方、同期信号を受信していれば（ステップＳ１００においてＹＥＳ）、制御部２０は、受信した同期信号に応じた送受信タイミングを符号／復号回路２４（図５）へ与える（ステップＳ１０２）。すなわち、制御部２０は、接続先の同期信号生成部４からの同期信号に従って、端末装置との間の送受信タイミングを調整する。
【００７７】
続いて、制御部２０は、受信した同期信号に含まれる同期信号の生成精度を示す情報を取得する（ステップＳ１０４）。そして、制御部２０は、同期信号生成部４がＧＰＳ正常受信中であるかを判断する（ステップＳ１０６）。すなわち、制御部２０は、対応する同期信号生成部４において生成される同期信号の精度が所定レベルを下回っているか否かを判断する。
【００７８】
同期信号生成部４がＧＰＳ正常受信中であれば（ステップＳ１０６においてＹＥＳ）、制御部２０は、前回の演算周期において、同期信号生成部４がホールドオーバ外であったか否かを判断する（ステップＳ１０８）。すなわち、制御部２０は、対応する同期信号生成部４において生成される同期信号の精度が、所定レベルを下回った後、所定レベルに回復したか否かを判断する。言い換えれば、制御部２０は、同期信号生成部４がホールドオーバ外の状態において、ＧＰＳ信号の受信が再開されたか否かを判断する。
【００７９】
前回の演算周期において、同期信号生成部４がホールドオーバ外であった場合（ステップＳ１０８においてＹＥＳ）には、処理はステップＳ１２０へ進む。一方、前回の演算周期において、同期信号生成部４がホールドオーバ外でなかった場合（ステップＳ１０８においてＮＯ）には、以後の処理はスキップされ、ステップＳ１００以下の処理が繰返される。
【００８０】
これに対して、同期信号生成部４がＧＰＳ正常受信中でなければ（ステップＳ１０６においてＮＯ）、制御部２０は、同期信号生成部４がホールドオーバ内であるかを判断する（ステップＳ１１０）。同期信号生成部４がホールドオーバ内であれば（ステップＳ１１０においてＹＥＳ）、以後の処理はスキップされ、ステップＳ１００以下の処理が繰返される。
【００８１】
また、同期信号生成部４がホールドオーバ内でなければ（ステップＳ１１０においてＮＯ）、すなわち、同期信号生成部４がホールドオーバ外であれば、制御部２０は、以下に示す送信電力の調整処理を実行する。
【００８２】
まず、制御部２０は、サーバ装置６に対して、自局に隣接して配置された他の無線基地局を問い合わせる（ステップＳ１１２）。より具体的には、制御部２０が自局の識別情報をサーバ装置６へ送信すると、サーバ装置６のＣＰＵ６０は、データ格納部６６に格納されているネイバーリスト６６４を参照し、問い合わせを受けた識別情報に対応する隣接基地局の識別情報を応答する。すなわち、制御部２０は、サーバ装置６のネイバーリスト６６４を参照して、自局に隣接する他の無線基地局を特定する。
【００８３】
続いて、制御部２０は、サーバ装置６に対して、自局に隣接して配置された他の無線基地局のそれぞれが属するドメインを問い合わせる（ステップＳ１１４）。より具体的には、制御部２０が取得した隣接する無線基地局の識別情報をサーバ装置６へ送信すると、サーバ装置６のＣＰＵ６０は、データ格納部６６に格納されているドメインリスト６６２を参照し、問い合わせを受けた識別情報に対応するドメインの識別情報を応答する。すなわち、制御部２０、サーバ装置６のドメインリスト６６２を参照して、ステップＳ１１２において取得した自局に隣接する他の無線基地局が接続されている同期信号生成部４を特定する。
【００８４】
続いて、制御部２０は、隣接する無線基地局が属するドメインに、自局の属するドメインとは異なるものが含まれているか否かを判断する（ステップＳ１１６）。言い換えれば、制御部２０は、自局に隣接するいずれかの無線基地局が自局とは異なるドメインに属しているか否かを判断する。
【００８５】
以上のステップＳ１１２〜Ｓ１１６に示すように、制御部２０は、同期信号の精度が所定レベルを下回っている場合に、サーバ装置６を参照することで、自局に隣接して配置されている他の無線基地局２のうち、自局に接続されている同期信号生成部４とは異なる同期信号生成部４に接続されている無線基地局２が存在するか否かを判断する。
【００８６】
隣接する無線基地局が属するドメインに、自局の属するドメインとは異なるものが含まれていなければ（ステップＳ１１６においてＮＯ）、以後の処理はスキップされ、ステップＳ１００以下の処理が繰返される。すなわち、制御部２０は、自局に接続されている同期信号生成部４とは異なる同期信号生成部４に接続されている無線基地局２が存在しない場合に、自局の送信電力を維持する。
【００８７】
これに対して、隣接する無線基地局が属するドメインに、自局の属するドメインとは異なるものが含まれていれば（ステップＳ１１６においてＹＥＳ）、制御部２０は、他のドメインに属する無線基地局との間での干渉を抑制するために、自局の送信電力を調整するための内部指令を符号／復号回路２４（図５）へ与える（ステップＳ１１８）。すなわち、制御部２０は、自局に接続されている同期信号生成部４とは異なる同期信号生成部４に接続されている無線基地局２が存在する場合に、自局の送信電力を低減する。そして、ステップＳ１００以下の処理が繰返される。
【００８８】
このステップＳ１１８における送信電力の調整処理は、自局とは異なるドメインに属する隣接の無線基地局２に対して干渉を与えないようにするために行なわれる。すなわち、制御部２０は、自局に接続されている同期信号生成部４とは異なる同期信号生成部４に接続されている、隣接する無線基地局２の送信電力の到達可能範囲とは重複しないように、自局の送信電力を低減する。
【００８９】
そのため、低減後の送信電力は、その無線基地局とは異なるドメインに属する隣接する無線基地局との距離および当該隣接する無線基地局の送信電力を基準にして、動的に決定してもよい。あるいは、予め隣接する無線基地局との間で干渉を生じない距離（送信電力）を定めておき、送信電力をこの定めておいた値（たとえば、通常の送信電力の１／２）まで低減するようにしてもよい。またあるいは、当該隣接する無線基地局との間で全く干渉が生じないように、送信電力をゼロ（出力停止）にしてもよい。
【００９０】
また、ステップＳ１２０において、制御部２０は、自局の送信電力を調整中であるか否かを判断する。自局の送信電力を調整中であれば（ステップＳ１２０においてＹＥＳ）、制御部２０は、同期信号が正常に復帰しことに伴って、自局の送信電力を元のレベルに調整するための内部指令を符号／復号回路２４（図５）へ与える（ステップＳ１２２）。すなわち、制御部２０は、同期信号の精度が所定レベルに回復した場合に、低減していた自局の送信電力を元に戻す。そして、ステップＳ１００以下の処理が繰返される。
【００９１】
自局の送信電力を調整中でなければ（ステップＳ１２０においてＮＯ）、ステップＳ１００以下の処理が繰返される。
【００９２】
＜作用効果＞
本実施の形態に従う無線通信システムでは、複数の無線基地局が同期信号を生成する同期信号生成部を共有するため、システム全体のコストを抑制しつつ、より精度および信頼性の高いＧＰＳモジュールを採用することができる。
【００９３】
さらに、本実施の形態に従う無線通信システムでは、何らかの理由で同期信号生成部が時刻情報を含む衛星からの信号（ＧＰＳ信号）を受信できなくなり、その生成する同期信号の精度が維持できなくなった場合であっても、送信電力を調整して、他の同期信号生成部に接続されている無線基地局に対する干渉を抑制することができる。その結果、同期信号の精度が保証されない場合であっても、通話や通信のサービスを可能な限り継続させることができる。
【００９４】
［その他の実施の形態］
上述のフローで説明したような制御を実行させるプログラムを任意の方法で提供することもできる。このようなプログラムは、フレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させた記録媒体として販売／流通させることもできる。あるいは、ネットワークを介したダウンロードによって、プログラムを提供することもできる。
【００９５】
このようなプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本実施の形態に従うプログラムに含まれ得る。
【００９６】
また、本実施の形態に従うプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本実施の形態に従うプログラムに含まれ得る。
【００９７】
今回開示された実施の形態は、すべての点で例示であって制限的なものではないと考えられるべきである。本発明の範囲は、上記した実施の形態の説明ではなくて請求の範囲によって示され、請求の範囲と均等の意味および範囲内でのすべての変更が含まれることが意図される。
【符号の説明】
【００９８】
１  無線通信システム、２  無線基地局、４  同期信号生成部、４ａ  アンテナ、６  サーバ装置、８  信号ライン、１０  データライン、１２  ＧＰＳ衛星、２０  制御部、２４  符号／復号回路、２５  アップコンバータ、２６  送信アンテナ、２７  ダウンコンバータ、２８  受信アンテナ、２９  同期信号Ｉ／Ｆ、３０  データ通信Ｉ／Ｆ、３０＿１，３０＿２  端末装置、３１  交換機Ｉ／Ｆ、６４  データ通信Ｉ／Ｆ、６６  データ格納部、６８  内部バス、２０２  同期信号モジュール、２０４  データ通信モジュール、２０６  制御モジュール、２０８  ネットワークモジュール、２１０  データリンクモジュール、６６２  ドメインリスト、６６４  ネイバーリスト。
【図１】
2011049770.tif 000003
【図２】
2011049770.tif 000004
【図３】
2011049770.tif 000005
【図４】
2011049770.tif 000006
【図５】
2011049770.tif 000007
【図６】
2011049770.tif 000008
【図７】
2011049770.tif 000009
【図８】
2011049770.tif 000010
【図９】
2011049770.tif 000011
【図１０】
2011049770.tif 000012